(57)【特許請求の範囲】
【請求項１】
加熱調理器の本体内に配置され前面が開口した調理庫と、該調理庫の前面開口部を塞ぐドアと、前記調理庫内の上下に被加熱物を加熱する上・下ヒータと、該上・下ヒータの間に配置され前記被加熱物を載せる焼き網と、該焼き網を載置し前記下ヒータの下方に配置した受け皿と、を備えた加熱調理器において、前記焼き網の前面側線材に前記ドアの裏側に延びるタンク支持部材を固定し、該タンク支持部材の上に金属製からなる横長形状で上面開口部を蒸気噴出口を有したタンク蓋で覆ったスチームタンクを取り出し自在に配置し、前記下ヒータは、前記スチームタンクに接近し前記ドアの裏側に近い前面部に前記焼き網の横幅方向に沿ってワット密度を高くした横長発熱部を設けたことを特徴とする加熱調理器。
【請求項２】
前記下ヒータに設けたワット密度の高い前記横長発熱部は、該横長発熱部よりワット密度の低い発熱域に挟まれていることを特徴とする請求項１記載の加熱調理器。
【発明の詳細な説明】
【技術分野】
【０００１】
本発明は、魚等の被調理物を調理庫内に収納して上・下ヒータにより焼き上げる加熱調理器に関するものである。
【背景技術】
【０００２】
従来のこの種の加熱調理器においては、受け皿に焼き網を載置し、該焼き網の上に魚等の被加熱物を載せ、それらを調理庫に収納して該調理庫の上下に設けた上・下ヒータにより加熱し、被加熱物を焼き上げるのが一般的である。
【０００３】
近年は、健康志向の高まりから脱脂，減塩を目的として、調理庫内で過熱水蒸気を発生させ、該過熱水蒸気によって被加熱物を加熱することが行われており、それらは特許文献１から３に記載されている。
【０００４】
特許文献１に記載されたものは、調理室内に焼き網を載せる受け皿を収納し、該受け皿の後部側に水を入れる蒸気供給手段と、蒸気供給手段に入れた水を加熱する貯水部加熱手段を設けている。そして調理室の後部の外側に調理室内に熱風を送風して循環させる第２の加熱手段を設けている。前記蒸気供給手段によって発生した蒸気を第２の加熱手段によって更に加熱して過熱水蒸気にし、該過熱水蒸気と高温の空気を調理室に送り込んで調理物を加熱調理するものである。
【０００５】
また、特許文献２に記載されたものは、受け皿に水を貯留し、該受け皿の下に設けたスチームヒータで受皿の水を加熱して蒸気を発生させ、発生した蒸気をロースター庫内のヒータの加熱によって過熱水蒸気とする。そして該過熱水蒸気を食品に当てて該食品に含まれる塩分や油脂分を効率よく除去しながら加熱調理を行うロースターである。
【０００６】
さらに、特許文献３に記載されたものは、水を入れた受皿と焼き網との間に小孔群を有する蒸気抑制板を載置し、該蒸気抑制板によって下から熱を反射して加熱効率を高めるとともに、受皿内の水に対しては遮熱効果が働くようにしている。そして水蒸気を蒸気抑制板に設けられた小孔群を介して徐々に排出することにより、調理物を水蒸気の影響を受けにくくして良好な状態に焼き上がるグリル調理器である。
【先行技術文献】
【特許文献】
【０００７】
【特許文献１】特開２００８−３０７０７７号公報
【特許文献２】特開２００７−２０６１２号公報
【特許文献３】特開平２−１３７２８号公報
【発明の概要】
【発明が解決しようとする課題】
【０００８】
近年の加熱調理器においては、上記したように、被加熱物の脱脂や減塩を目的として、調理庫内で発生した水蒸気をさらに加熱して過熱水蒸気とし、該過熱水蒸気によって調理物を加熱する調理方法が好まれている。
【０００９】
しかし、特許文献１に記載された加熱調理器は、受け皿後部の蒸気供給手段で発生した水蒸気を、調理室の後部外側に設けた循環式の第２の加熱手段で加熱し、過熱水蒸気として加熱室内に循環させている。そのため、受け皿後部の蒸気供給手段で発生した水蒸気によって第２の加熱手段で生成した過熱水蒸気や高温空気が冷やされてしまい、非効率である。
【００１０】
また、特許文献２に記載されたロースターは、受け皿の外側底面に設けたスチームヒータによって受け皿内の水を加熱し、そこで発生した蒸気を魚焼き用のヒータによってさらに加熱して過熱水蒸気としている。そのため、空気に比べて軽い過熱水蒸気はロースター庫内の上部に上昇し、食品を効率よく加熱することができないまま、ロースター庫の上部に設けられた開口より排気ダクトに排出され、非効率である。
【００１１】
さらに、特許文献３に記載されたグリル調理器は、蒸気抑制板によって調理物は水蒸気の影響を受けにくくなるため、脱脂，減塩の効果はほとんど期待できない。
【課題を解決するための手段】
【００１２】
本発明は、上記の課題を解決するためになされたものであり、請求項１では、加熱調理器の本体内に配置され前面が開口した調理庫と、該調理庫の前面開口部を塞ぐドアと、前記調理庫内の上下に被加熱物を加熱する上・下ヒータと、該上・下ヒータの間に配置され前記被加熱物を載せる焼き網と、該焼き網を載置し前記下ヒータの下方に配置した受け皿と、を備えた加熱調理器において、前記焼き網の前面側線材に前記ドアの裏側に延びるタンク支持部材を固定し、該タンク支持部材の上に金属製からなる横長形状で上面開口部を蒸気噴出口を有したタンク蓋で覆ったスチームタンクを取り出し自在に配置し、前記下ヒータは、前記スチームタンクに接近し前記ドアの裏側に近い前面部に前記焼き網の横幅方向に沿ってワット密度を高くした横長発熱部を設けたものである。
【００１３】
請求項２では、前記下ヒータに設けたワット密度の高い前記横長発熱部は、該横長発熱部よりワット密度の低い発熱域に挟まれているものである。
【発明の効果】
【００１４】
請求項１によれば、下ヒータの横長発熱部から横長のスチームタンク全体に効率よく熱が伝わり、また横長発熱部のワット密度を高くすることでスチームタンク内の水を素早く加熱ができるので、調理開始から短時間で大量の水蒸気を供給することが可能となる。従って、調理開始の早い時期から過熱水蒸気で被加熱物を加熱することで、脱脂や減塩効果を効率的に行える。
【００１５】
請求項２によれば、ワット密度を高くした横長発熱部をヒータの端末部側に設けないで、ワット密度の低い区間１と区間３の間に挟んで配置することで、横長発熱部で発熱した熱がヒータ端末部などに奪われないので、スチームタンク内の水をさらに効率よく加熱することができる。
【００１６】
本発明によって、加熱調理器の過熱水蒸気を利用して健康志向の調理ができ、脱脂や減塩効果を高めることができる加熱調理器を提供することができる。
【図面の簡単な説明】
【００１７】
【図１】一実施例の加熱調理器をシステムキッチンに収納した状態の斜視図である。
【図２】図１のＡ−Ａ断面図である。
【図３】一実施例の加熱調理器のタンクと下ヒータの位置関係を示す説明図である。
【図４】同タンクと下ヒータの位置関係を示す斜視図である。
【図５】図４のＢ−Ｂ断面図である。
【図６】一実施例の加熱調理器の焼き網の斜視図である。
【発明を実施するための形態】
【００１８】
以下、本発明の実施例を図１から図６に従って説明する。尚、本実施例は、システムキッチンに嵌め込むビルトイン型でなく、キッチンに載置する据置型の加熱調理器であっても差し支えない。
【００１９】
図１において、加熱調理器の本体２は、システムキッチン１の上面から落とし込んで設置され、設置後は本体２の後述するオーブン（ロースター）４と操作部パネル５がシステムキッチン１の前面部から操作できるようになっている。操作部パネル５は主にオーブン４の電源の入・切やメニューの選択・設定，操作を行う。
【００２０】
調理を行う際の調理鍋（図示せず）は、本体２の上面に配置された耐熱ガラス等からなるプレート３上に載置され、プレート３の周囲端面は、プレート枠１４によって保護されている。
【００２１】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ，６ｂ間の奥（中央後部）に載置部中央６ｃが配置されている。そして、プレート３を挟んで各載置部６の下に位置するように、本体２内の上部に調理鍋を加熱するための加熱コイルユニット２５（図２）が設置されている。
【００２２】
また、プレート３の前面側には、上面操作部９とその奥側に位置する上面表示部１０が設けられており、上面操作部９は主に加熱コイルユニット２５の操作を行う。
【００２３】
本体２の内部には、上記した発熱部品である加熱コイルユニット２５や、電子部品およびこれらの発熱部品を冷却するための冷却ファン（いずれも図示せず）が配置されている。
【００２４】
本体２の後部上面には、前記冷却ファンの駆動によって外気を吸引する吸気口７と、発熱部品である加熱コイルユニット２５や電子部品を冷却した後の廃熱を本体２外に排出する排気口８が設けられている。なお、排気口８からは、後述するオーブン４の廃熱も同時に排出される。
【００２５】
オーブン４は魚や肉，ピザ等の被加熱物を焼くためのもので、本体２の前面部の左側若しくは右側に配置されている。（本実施例では、本体２の左側に配置されている。）なお、オーブンは、呼び名としてロースター，グリルと呼ぶこともある。
【００２６】
図２において、次にオーブン４の詳細について説明する。調理庫２６は、前面が開口した箱型をしており、内部の上部と下部にはシーズヒータ等の発熱体をよりなる上・下ヒータ２７（上ヒータ２７ａ，下ヒータ２７ｂ）が設置されている。上ヒータ２７ａは、上面図は図示しないが、調理庫２６の前後方向又は横幅方向に沿って適宜蛇行しながら配置されている。下ヒータ２７ｂは、図３に示すように調理庫２６の前後方向に沿って蛇行しながら配置され、後述するドア３２の裏側に近い前面部に、同じく後述する焼き網３３の横幅方向に沿った横長発熱部２７ｂ−１（Ｌ点〜Ｍ点の区間）を設けている。
【００２７】
上ヒータ２７ａ，下ヒータ２７ｂを制御する制御部４５は、オーブン４の上面で、該オーブン４からの熱の影響を受けない場所に配置されており、操作部パネル５や上面操作部９，上面表示部１０とも連なっている。
【００２８】
また、調理庫２６の前面開口部は、ドア３２によって塞がれており、該ドア３２の表側にハンドル１１が取り付けられている。またドア３２の裏側に受け皿支持部３１ａの前面が着脱自在に連結されている。受け皿支持部３１ａの上面に着脱自在に受け皿３１が載置されている。
【００２９】
調理庫２６の後方上部には、排気出口２９が設けられ、該排気出口２９は排気通路３５を介して本体２の後部上面に開口した排気口８に連通している。
【００３０】
また、排気出口２９の入り口側には調理庫２６内で発生する煙や臭いを浄化する空気浄化用の触媒３４と、触媒３４を加熱するための触媒ヒータ３７が配置されている。排気通路３５の途中には煙や臭いを強制的に排気口８を通して本体２外に排出するための排気手段３６が設けられている。なお、排気手段３６は、排気ファン３６ａと排気モータ３６ｂとで構成されている。触媒ヒータ３７と排気モータ３６ｂは制御部４５に接続されている。
【００３１】
調理庫２６の前面側下部とドア３２との間には空気取入口４３が設けられ、前記排気手段３６が駆動すると、空気取入口４３から調理庫２６内に外気が流入し、下記する受け皿３１の下面を冷却しながら排気通路３５側に流れる。
【００３２】
受け皿３１は、調理庫２６内にその前面開口部から出し入れ自在に収納されており、中に焼き網３３が載置され、その上に魚等の被加熱物３０を載せる。
【００３３】
４４はタンクで、タンク支持部材３３ｄに載置されたスチームタンク４１とスチームタンク４１の上面を覆うタンク蓋４２で構成されている。
【００３４】
焼き網３３について図６を用いて構成を説明する。焼き網３３は、所定の間隙を保持して後方から前方に向けて平行に並べた横線材３３ａと、略Ｕ字状をなし、上部に該横線材３３ａの両端を固定し、下部を受け皿３１の内周段部に載置した一対のフレーム線材３３ｂとで構成されている。前記Ｕ字状部間には、前記上部と下部の間隙を一定に保持するための保持線材３３ｃが固定されている。
【００３５】
３３ｄはタンク支持部材で、線材を略コ字状に成形し、焼き網３３の最前部とその次の横線材３３ａとに両端部を固定し、中間の略コ字状部をドア３２の裏側に延ばしている。延ばした両側の線材３３ｄ−１を皿状に湾曲させて後述するスチームタンク４１を支持できる形状にしている。なお、タンク支持部材３３ｄの両端部を、最前部とその次の横線材３３ａとに固定するのは、タンク支持部材３３ｄの強度を上げるためであり、最前部のみに固定しても強度を保持できれば何ら問題はない。
【００３６】
図３から図５において、タンク４４の構成について説明する。
【００３７】
スチームタンク４１は、ステンレス材等の耐熱金属板によって横長形状に絞り成形され、上面が開口し、下部に５０〜１００cc程度の水を溜める水溜め部４１ａを有している。上端周縁部に外向きのフランジ部４１ｂを形成し、外周面に変色防止と伝熱性向上を目的として耐熱性のある黒色系のフッ素樹脂やセラミック塗装が施されている。
【００３８】
そして、このスチームタンク４１は、ドア３２の裏側で、フランジ部４１ｂをタンク支持部材３３ｄの線材３３ｄ−１上に載置し、下ヒータ２７ｂの横長発熱部２７ｂ−１に４mm程度の隙間を保持して接近させている。それは、後記する下ヒータ２７ｂの横長発熱部２７ｂ−１の表面温度が６６０℃程度まで上昇することから直接接触させると変色する恐れがあるためである。
【００３９】
スチームタンク４１の上面にはタンク蓋４２が取り外し自在に載置されている。該タンク蓋４２は、耐熱性が良く、錆びないステンレス材で成形され、表面に変色防止と清掃性向上を目的として耐熱性のよいフッ素樹脂やセラミック塗装が施されている。
【００４０】
また、タンク蓋４２は、取り付け，取り外しが容易なように、焼き網３３の上面よりも上部に位置している。長手方向の略中央部に凸部４２ａを設け、同じく長手方向の周縁部に複数個の蒸気噴出口４２ｂを前後対称となるように設けている。この構成によって、タンク蓋４２は、前後を逆にしてスチームタンク４１に取り付けてもフランジ部４１ｂに載置される。
【００４１】
なお、スチームタンク４１は、上記の実施例では、焼き網３３のタンク支持部材３３ｄ上に載置されているが、必ずしも焼き網３３上に載置する必要はない。受け皿３１の前面側上部で下ヒータ２７ｂに接近するように配置してあればよい。
【００４２】
図３から図５において、下ヒータ２７ｂの構成について説明する。
【００４３】
下ヒータ２７ｂは、横長発熱部２７ｂ−１で発熱温度を高くするために、下ヒータ２７ｂの横長発熱部２７ｂ−１にあたるシーズヒータ内のヒータ線の巻ピッチを密にして、全体のワット密度に対して横長発熱部２７ｂ−１の区間のみワット密度を高く設定している。
【００４４】
例えば、図３において示すＫ点からＬ点の区間１のワット密度は約３.２８Ｗ／cm2、横長発熱部２７ｂ−１（Ｌ点からＭ点の区間）のワット密度は約５Ｗ／cm2、Ｍ点からＮ点の区間３のワット密度は約３.２８Ｗ／cm2。そして各区間の長さは、区間１は２０９mm、横長発熱部２７ｂ−１は２２１mm、区間３は１２４２mmである。また各区間の電力は、区間１は１４３Ｗ、横長発熱部２７ｂ−１は２３２Ｗ、区間３は８５７Ｗになり、下ヒータ２７ｂ全体の電力は１２３２Ｗとなる。
【００４５】
参考までに説明すると、横長発熱部２７ｂ−１は、ワット密度を約３.２８Ｗ／cm2から約５Ｗ／cm2に高くすることで電力を約７９Ｗ高めている。また、ワット密度の高くした横長発熱部２７ｂ−１をヒータの端末部側に設けないで、ワット密度の低い区間１と区間３の間に挟んで配置することで、横長発熱部２７ｂ−１で発熱した熱がヒータ端末部などに奪われ難くしている。
【００４６】
本実施例は、以上の構成からなり、次に動作について被加熱物３０として鳥肉を焼く場合を例にとって説明する。
【００４７】
まず、ドア３２のハンドル１１を手前に引いて受け皿３１とともにスチームタンク４１を調理庫２６の前面に露出させる。タンク支持部材３３ｄの皿状の線材３３ｄ−１上に載置されているスチームタンク４１のタンク蓋４２を開け、水溜め部４１ａに水約５０cc供給する。この時、タンク蓋４２が焼き網３３の上面よりも上部に位置しているため、タンク蓋４２の周囲には邪魔なものがなく、簡単に手で開けられる。スチームタンク４１に水を供給した後は、その上面開口部をタンク蓋４２で覆う。
【００４８】
次に、焼き網３３の上に下ごしらえをした鶏肉を載せる。この時、タンク蓋４２が焼き網３３よりも上部に位置しているため、鶏肉の一部がタンク蓋４２上に載ることもある。しかし、タンク蓋４２の略中央部に凸部４２ａが設けられていることにより、鶏肉の一部は凸部４２ａ上に載り、蒸気噴出口４２ｂが塞がれることはない。
【００４９】
ドア３２を閉じて調理を開始すると、排気手段３６が駆動し、空気取入口４３から受け皿３１の下面に外気が流入するので、受け皿３１は冷やされる。従って受け皿３１には水を入れなくともよいが、水を入れても調理は可能である。
【００５０】
加熱は、加熱開始から主に下ヒータ２７ｂによって鶏肉とスチームタンク４１内の水を加熱する。加熱が行われると、鶏肉から脂が溶け出し始めるが、一般に言われている肉の脂類が溶け出す温度は、鶏肉は３０〜３２℃、豚肉は３３〜４６℃、牛肉が４０〜５０℃であり、肉の熱変成の温度は６０〜７０℃から始まる。よって、鶏肉の温度が肉の熱変成の温度を過ぎた後、今度は上ヒータ２７ａによる加熱が主となって焼き上げる。また、調理時に鶏肉から発生する煙や臭いは、排気手段３６によって触媒３４を通して排気出口２９から排気通路３５を通って排気口８より本体２外に排出する。
【００５１】
次に、鶏肉を焼いた場合の過熱水蒸気調理の動作を具体的に説明する。
【００５２】
調理スタート時は、下ヒータ２７ｂの通電率を高くして、調理庫２６及び鶏肉を温め、同時にスチームタンク４１内の水を加熱する。加熱開始から数分で鶏肉の温度は脂が溶け始める温度に到達し、同時にスチームタンク４１の水溜め部４１ａ内の水も下ヒータ２７ｂの横長発熱部２７ｂ−１からの熱によって加熱され、水蒸気が発生し始める。
【００５３】
下ヒータ２７ｂの横長発熱部２７ｂ−１はワット密度が約５Ｗ／cm2であるので、表面温度が６６０℃程度まで上昇する。横長発熱部２７ｂ−１以外の部分はワット密度が低く約３.２８Ｗ／cm2部分は表面温度が５５０℃程度である。そのため、横長発熱部２７ｂ−１の表面の温度を、横長発熱部２７ｂ−１以外の部分より約１００℃高くすることにより、スチームタンク４１へより大きな加熱がされる。
【００５４】
このとき、スチームタンク４１の水溜め部４１ａと下ヒータ２７ｂの横長発熱部２７ｂ−１が、ともに略同一長さの横長で接近しており、スチームタンク４１には耐熱性の樹脂が施され、伝熱性がよい。そのため、下ヒータ２７ｂからの熱は水溜め部４１ａ内の水に効率よく伝わり、水蒸気の発生量が増大する。
【００５５】
発生した水蒸気は、蒸気噴出口４２ｂから高温に加熱された上ヒータ２７ａと下ヒータ２７ｂに接触し、約２００℃程度の過熱水蒸気となる。
【００５６】
この過熱水蒸気は、排気手段３６の作用により空気取入口４３から取り入れた外気の流れに乗って、調理庫２６の後方上部にある排気出口２９に向かう中で鶏肉全体を過熱水蒸気で包んでいく。
【００５７】
そして、鶏肉全体を包んだ過熱水蒸気は、鶏肉の表面全体で凝縮水滴になることによって発生する凝縮潜熱により、鶏肉を効率良く加熱する。
【００５８】
また、鶏肉の周囲を一定の湿度で保持することで、鶏肉の表面で発生する凝縮潜熱による加熱が和らぎ、表面だけが著しく加熱されることなく鶏肉の内部も加熱されるようになる。
【００５９】
そのため、鶏肉の表面と内部の温度差が緩和され、鶏肉の全体の温度を上昇させる。
【００６０】
鶏肉の温度が上昇し、鶏肉に含まれる脂が溶ける温度に上昇すると脂が溶解し、さらに鶏肉の温度が上昇すると、肉の熱変成温度、つまり、たんぱく質が加熱によって凝固が始まる温度に達する。すると、たんぱく質の凝固によって鶏肉全体が縮み、鶏肉の内部で溶けた脂が表面に流出する。表面に流出した脂は鶏肉の表面に付着している水滴と一緒に受け皿３１に滴下して鶏肉から余分な脂は排除される。
【００６１】
この加熱中は、上・下ヒータ２７によって調理庫２６内の温度は３００℃程度まで上昇する。そのため、スチームタンク４１及びタンク蓋４２は耐熱性のよいステンレス材等によって成形され、その表面に耐熱性のあるフッ素樹脂やセラミック塗装が施されているので熱変形や変色等の不具合を生じることはない。
【００６２】
調理は、その後、鶏肉全体が加熱されるまで、下ヒータ２７ｂを主体にして加熱を続け、加熱が完了した後に上ヒータ２７ａを入れ、焼き色等を調整したところで自動調理が終了となる。
【００６３】
調理後に、スチームタンク４１及びタンク蓋４２を掃除する場合には、ドア３２のハンドル１１を手前に引いて調理庫２６から受け皿３１を引き出し、スチームタンク４１及びタンク蓋４２を手で持ち上げて外に取り出せばよい。
【００６４】
なお、上記した本実施例においては、過熱水蒸気によって鶏肉の脱脂を行う調理について説明したが、塩鮭等の減塩もできることは言うまでもない。
【００６５】
また、調理の際にスチームタンク４１に入れる水は、被加熱物３０の種類等によって５０〜１００cc程度給水するのがよい。
【００６６】
上記したように、本実施例によれば、下ヒータ２７ｂの横長発熱部２７ｂ−１から横長のスチームタンク４１の全体に効率よく熱が伝わり、また横長発熱部２７ｂ−１のワット密度を高くすることでスチームタンク４１内の水を素早く加熱ができるので、調理開始から短時間で大量の水蒸気を供給することが可能となる。従って、調理開始の早い時期から過熱水蒸気で被加熱物３０を加熱することで、脱脂や減塩効果を効率的に行える。
【００６７】
また、ワット密度の高くした横長発熱部２７ｂ−１をヒータの端末部側に設けないで、ワット密度の低い区間１と区間３の間に挟んで配置することで、横長発熱部２７ｂ−１で発熱した熱がヒータ端末部などに奪われないので、スチームタンク４１内の水をさらに効率よく加熱することができる。
【符号の説明】
【００６８】
２  本体
２６  調理庫
２７  上・下ヒータ
２７ｂ  下ヒータ
２７ｂ−１  横長発熱部
３０  被加熱物
３１  受け皿
３２  ドア
３３  焼き網
３３ｄ  タンク支持部材
４１  スチームタンク
４２  タンク蓋
４２ｂ  蒸気噴出口
【図１】
0005378327.tif 000002
【図２】
0005378327.tif 000003
【図３】
0005378327.tif 000004
【図４】
0005378327.tif 000005
【図５】
0005378327.tif 000006
【図６】
0005378327.tif 000007